(57)【要約】【課題】本発明は、針を使わずに綴じる綴じ処理を指示した印刷物の仕上がりが、ユーザーの意図した結果と異なってしまうという状況の発生を抑制する画像処理装置を提供する。【解決手段】印刷ジョブの印刷設定から針無し綴じの設定有無を判定し、針無し綴じの設定ありと判定された場合には、試し印刷を行うよう制御する。【選択図】図８
2016016551.tif 000002
【特許請求の範囲】
【請求項１】
画像が印刷されたシート束に対して後処理を行うことが可能な画像処理装置であって、
印刷ジョブの印刷設定から針無し綴じの設定有無を判定する判定手段と、
前記判定手段により針無し綴じの設定ありと判定された場合に、前記印刷ジョブの試し印刷を行うように制御する制御手段と、
を備えることを特徴とする画像処理装置。
【請求項２】
ユーザーに試し印刷の実行を推奨する推奨手段を更に備え、
前記制御手段は、前記判定手段により針無し綴じの設定ありと判定された場合に、前記推奨手段による推奨を行わせることを特徴とする請求項１に記載の画像処理装置。
【請求項３】
前記制御手段は、前記推奨手段が試し印刷の実行を推奨した後、ユーザーから試し印刷の実行が指示された場合は、前記印刷ジョブに基づいて１部を印刷した後、一旦停止し、ユーザーからの更なる指示に応じて残りの部を印刷し、ユーザーから試し印刷の実行が指示されない場合は、前記印刷ジョブに基づく全ての部を連続して印刷するよう制御することを特徴とする請求項２に記載の画像処理装置。
【請求項４】
前記推奨手段は、前記判定手段により針無し綴じの設定ありと判定された場合に、印刷物の枚数に応じて試し印刷の推奨の要否を判断することを特徴とする請求項２または３に記載の画像処理装置。
【請求項５】
前記推奨手段による試し印刷の推奨を行うか否かを設定するための設定手段をさらに備え、
前記判定手段により針無し綴じの設定ありと判定された場合であって、前記設定手段により試し印刷の推奨を行うよう設定がなされている場合に、試し印刷の推奨を行うことを特徴とする請求項２乃至４のいずれか１項に記載の画像処理装置。
【請求項６】
画像が印刷されたシート束に対して後処理を行うことが可能な画像処理装置であって、
印刷ジョブに対する印刷処理および後処理が正常に実行できるか否かを判定する第１の判定手段と、
前記印刷ジョブの印刷設定から針無し綴じの設定有無を判定する第２の判定手段と、
前記第２の判定手段により針無し綴じの設定ありと判定された場合には、前記第１の判定手段による判定結果に、前記針無し綴じの設定ありとする警告を追加してユーザーに通知する通知手段と、
を備えることを特徴とする画像処理装置。
【請求項７】
前記第１の判定手段により正常に実行できないと判定された要因に対して解消指示を受け付ける受付手段と、
前記受付手段にて解消指示された要因が前記針無し綴じの設定であった場合に、ユーザーに試し印刷の実行を推奨する推奨手段と、
をさらに備えることを特徴とする請求項６に記載の画像処理装置。
【請求項８】
印刷手段により画像が印刷されたシート束に対して、後処理手段により後処理を行うことが可能な画像処理装置の制御方法であって、
印刷ジョブの印刷設定から針無し綴じの設定有無を判定する判定工程と、
前記判定工程において針無し綴じの設定ありと判定された場合に、前記印刷ジョブの試し印刷を行うように制御する制御工程と、
を備えることを特徴とする制御方法。
【請求項９】
印刷手段により画像が印刷されたシート束に対して、後処理手段により後処理を行うことが可能な画像処理装置の制御方法であって、
印刷ジョブに対して前記印刷手段および前記後処理手段が正常に実行できるか否かを判定する第１の判定工程と、
前記印刷ジョブの印刷設定から針無し綴じ設定有無を判定する第２の判定工程と、
前記第２の判定工程において針無し綴じの設定ありと判定された場合には、前記第１の判定工程における判定の結果に、前記針無し綴じの設定ありとする警告を追加してユーザーに通知する通知工程と、
を備えることを特徴とする制御方法。
【請求項１０】
請求項８または９に記載の制御方法を画像処理装置に実行させるためのコンピュータに読み取り可能なプログラム。
【発明の詳細な説明】
【技術分野】
【０００１】
本発明は、画像処理装置およびその制御方法、並びにプログラムに関し、特に、シート束を針を使わずに綴じる機能を備える画像処理装置の制御技術に関する。
【背景技術】
【０００２】
コピー機能やプリンタ機能をもつ画像形成装置には、当該画像形成装置から排紙されるシートの束を後処理するシート処理装置が接続されているケースがある。シート処理装置は、例えば、金属針を使用してシート束を綴じるステイプル機能を有する。
【０００３】
近年、環境や安全への配慮から針を使用するステイプルの代替手段として、針を使用しない綴じ方法が採用されている。例えば、綴じる印刷物の一部をまとめてくりぬくように切り取り、その切り先を織り込んで綴じる方法がある（特許文献１参照）。その他にも、糊でシートを貼りつけることで綴る方法や、特殊な刃をシート束に押しつけて、シート束をかしめて綴じる方法など、針を使用しない様々な綴じ方法が実用化されてきている。
【０００４】
また、複数部の印刷を行う場合に、１部だけを印刷し、ユーザーがその印刷物の出来栄えを確認するお試し印刷という機能がある。このお試し印刷機能に関して、印刷に用いるシートに特殊紙が含まれている場合、お試し印刷時にシートをすべて普通紙に変更して出力する技術などが提案されている（特許文献２参照）。
【先行技術文献】
【特許文献】
【０００５】
【特許文献１】特開平８−３００８４７号公報
【特許文献２】特開２００５−２３４８１２号公報
【発明の概要】
【発明が解決しようとする課題】
【０００６】
しかしながら、針を使用せずにシート束を綴じる方法では、金属針を使用するステイプルに対して綴じる力が弱いために、シート束を一度にまとめて綴じることができる最大枚数が少ない。この最大枚数は、シートの坪量や紙種等に応じて変化する。
【０００７】
また、原稿の枚数と印刷設定に基づいて必要な面付け処理を行った結果、印刷物に必要なシートの枚数が何枚になるのかをユーザーが事前に把握することは困難な場合が多い。そのため、シート束を一度に綴じることができる最大枚数を超えてしまい、針を使用せずにシート束を綴じる処理が実行できないおそれがある。
【０００８】
本発明は、上記問題に鑑みて成されたものであり、針を使わずにシート束を綴じる機能により得られた印刷物の仕上がりが、ユーザーの意図した結果と異なってしまうという状況を抑制し、より利便性の高い綴じ処理を提供することを目的とする。
【課題を解決するための手段】
【０００９】
上記目的を達成するために、本発明の画像処理装置は、画像が印刷されたシート束に対して後処理を行うことが可能な画像処理装置であって、印刷ジョブの印刷設定から針無し綴じの設定有無を判定する判定手段と、前記判定手段により針無し綴じの設定ありと判定された場合には、前記印刷ジョブの試し印刷を行うように制御する制御手段と、を備えることを特徴とする。
【発明の効果】
【００１０】
本発明によれば、針を使わずに綴じる綴じ処理を指示した印刷物の仕上がりが、ユーザーの意図した結果と異なってしまうという状況の発生を抑制することができる。
【図面の簡単な説明】
【００１１】
【図１】本発明の第１の実施形態における画像処理装置が配置された印刷システムの構成例を示す図である。
【図２】図１における画像処理装置の概略構成を示す図である。
【図３】操作部の外観例を示す図である。
【図４】シート処理装置における綴じ処理部の概略構造を示す図である。
【図５】綴じ処理時のステイプル部、針無し綴じ部と、シート束との位置関係を示した図である。
【図６】針無し綴じ部による綴じ方法の概要を示す図、（ａ）シート束を綴じる前の上金型と下金型の状態、（ｂ）シート束を綴じた際の上金型と下金型の状態、（ｃ）針無し綴じ部により綴じられたシート束（印刷物）の断面図である。
【図７】針無し綴じ部により綴じられたシート束の一例を示す図である。
【図８】画像処理装置における印刷ジョブの実行の流れを示すフローチャートである。
【図９】操作部のタッチパネル部に表示される画面の一例を示す図、（ａ）機器設定一覧画面、（ｂ）動作設定画面である。
【図１０】操作部のタッチパネル部に表示される試し印刷の推奨画面の一例を示す図である。
【図１１】本発明の第２の実施形態における画像処理装置におけるミスマッチチェック処理の流れを示すフローチャートである。
【図１２】操作部のタッチパネル部に表示される画面の一例を示す図、（ａ）図１１のステップＳ１３０１で表示されるホールド画面、（ｂ）図１１のステップＳ１３０７で表示されるホールド画面である。
【図１３】本発明の第３の実施形態におけるミスマッチ解消処理の流れを示すフローチャートである。
【図１４】操作部のタッチパネル部に表示される画面の一例を示す図、（ａ）要因一覧画面、（ｂ）試し印刷推奨画面、（ｃ）結果入力画面である。
【発明を実施するための形態】
【００１２】
以下、本発明の実施の形態を図面を参照して詳細に説明する。
【００１３】
［第１の実施形態］
図１は、本発明の実施形態に係る画像処理装置が配置された印刷システムの構成例を示す図である。
【００１４】
画像処理装置１０００は、ネットワーク１０１を介してクライアントコンピュータ１０２（以後、「ＰＣ１０２」と称する）に接続されている。ＰＣ１０２は、ネットワーク１０１を介してＰＤＬ（ページ記述言語）コードデータを画像処理装置１０００に送信することができる。
【００１５】
図２は、図１における画像処理装置１０００の概略構成を示す図である。
【００１６】
画像処理装置１０００は、画像形成装置１００とシート処理装置（後処理装置）２００とで構成されている。画像処理装置１０００では、画像形成装置１００で印刷されたシートやシート束に対する後処理を、画像形成装置１００に接続されたシート処理装置２００により実行するように構成されている。
【００１７】
画像形成装置１００は、コピー機能やプリンタ機能等の複数の機能を有するＭＦＰ（Ｍｕｌｔｉ  Ｆｕｎｃｔｉｏｎ  Ｐｅｒｉｐｈｅｒａｌ）である。なお、画像形成装置１００は、コピー機能のみ、あるいは、プリンタ機能のみの単一機能型であってもよい。
【００１８】
シート処理装置２００は、画像形成装置１００と通信可能に接続され、画像形成装置１００からの指示を受けて、さまざまな後処理を実行することができる。実行可能な後処理には、金属針を用いてシート束を綴じるステイプル処理と、金属針を用いずにシート束を綴じる針無し綴じ処理が含まれる。
【００１９】
画像形成装置１００は、スキャナ部２０１、外部Ｉ／Ｆ２０２、プリンタ部２０３、操作部２０４、制御部２０５、ＲＯＭ２０７、ＲＡＭ２０８、ＨＤＤ２０９、および圧縮伸張部２１０を備える。
【００２０】
スキャナ部２０１は、原稿上の画像を読み取って画像データに変換し、ＲＡＭ２０８等に転送する。外部Ｉ／Ｆ２０２は、ネットワーク１０１に接続し、例えばＰＣ１０２との間でデータの送受信を行う。プリンタ部２０３は、入力された画像データに基づく画像をシート上に印刷する。
【００２１】
操作部２０４は、その外観に、図３に示すようなハードキー入力部３０２とタッチパネル部３０１を有し、ハードキー入力部３０２でユーザーからの操作指示を受け付け、タッチパネル部３０１に各種表示を行う。ユーザーは、例えば、操作部２０４でコピーなどの各種指示や設定を行うことができる。
【００２２】
制御部２０５は、画像処理装置１０００を構成する画像形成装置１００と、画像形成装置１００に接続されたシート処理装置２００における処理や動作等を統括的に制御する。
【００２３】
ＲＯＭ２０７は、制御部２０５によって実行される各種プログラムを記憶する記憶装置である。例えば、ＲＯＭ２０７は、後述する各種処理を制御部２０５に実行させるためのプログラムや、後述する各種画面を表示するために必要な表示制御プログラムを記憶する。また、ＲＯＭ２０７は、ＰＣ１０２から受信したＰＤＬコードデータを制御部２０５が解釈し、ラスタイメージデータに展開する動作を実行するためのプログラムを記憶する。他にも、ＲＯＭ２０７は、装置のブートプログラムやフォント情報等を記憶する。
【００２４】
ＲＡＭ２０８は、スキャナ部２０１や外部Ｉ／Ｆ２０２から送られてきた画像データやＰＤＬコードデータ、ＲＯＭ２０７からロードされた各種プログラム、装置動作の各種設定情報等を記憶する記憶装置である。そして、制御部２０５は、これらの情報をＲＡＭ２０８から読み出し、制御に利用することができる。
【００２５】
ＨＤＤ（ハードディスクドライブ）２０９は、ハードディスクとハードディスクへのデータの読み書きを行う駆動部等で構成される。ＨＤＤ２０９は、スキャナ部２０１から入力され、圧縮伸張部２１０によって圧縮された画像データを記憶するための大容量の記憶装置である。圧縮伸張部２１０は、ＪＢＩＧやＪＰＥＧ等といった各種圧縮方式によってＲＡＭ２０８、ＨＤＤ２０９に記憶されている画像データ等の圧縮・伸張動作を行う。
【００２６】
次に、シート処理装置２００における綴じ処理方法について図４〜図８を用いて述べる。
【００２７】
図４は、シート処理装置２００における綴じ処理部の概略構造を示す図である。
【００２８】
図４において、綴じ処理部４０１は、画像形成装置１００内のプリンタ部２０３と接続されており、プリンタ部２０３から搬送ローラ４０４を介してシートが送られてくる。４０５は両面印刷時にシートを反転させるための搬送ローラである。シート反転時には、シートが搬送ローラ４０５を通ってプリンタ部２０３に再度入って裏面の印刷が行われる。その場合も搬送ローラ４０４を通って綴じ処理部４０１にシートが送られる。
【００２９】
４０２は、コの字型等の金属針を使用してシートを綴じる綴じ処理を実行するステイプル部である。
【００３０】
４０３は、針を用いずにシート束を綴じる綴じ処理を実行する針無し綴じ部である。針を用いずにシート束を綴じる綴じ処理には、シート束の厚さ方向に上下から加圧することによりシート間を密着させて綴じる方法がある。本実施形態では、綴じ処理部４０１にステイプル部４０２と針無し綴じ部４０３が併設されているが、針無し綴じ部のみの構成であっても構わない。
【００３１】
図５は、綴じ処理時のステイプル部４０２、針無し綴じ部４０３と、シート束との位置関係を示した図である。
【００３２】
図５において、位置ａはステイプル部４０２のスタンバイ位置を示す。実際にシート束５０１を綴じる際には、位置ａから位置ｂに移動してシート束５０１を綴じる構成となっている。一方、位置ｃは、針無し綴じ部４０３のスタンバイ位置を示す。実際にシート束５０１を綴じる際には、位置ｃから位置ｄに移動してシート束５０１を綴じる構成となっている。
【００３３】
次に、針無し綴じ部４０３によるシート束の綴じ方法について図６（ａ）〜図６（ｃ）を参照して説明する。
【００３４】
図６（ａ）において、６０１は、シート束５０１を圧力で押さえ付ける上金型であり、複数の凸部（凸刃）６０２が付いている。これら複数の凸部６０２によりシート面上を加圧することで、シート間がすぐにははがれないようにしている。
【００３５】
６０３は、シート束５０１を圧力で押さえ付ける下金型であり、上金型６０１の複数の凸部６０２に対応する複数の凹部（凹刃）６０４が付いている。これら複数の凹部６０４により上金型６０１の凸部６０２を受けるようになっている。
【００３６】
上金型６０１と下金型６０３でシート束５０１を挟み、図６（ｂ）のように上下から加圧することでシート束５０１を綴じる。綴じた後のシート束５０１の断面を図６（ｃ）に示す。また、綴じたシート束５０１をシート面上から見ると図７のようになり、シート面上の所定の位置に綴じ部８０１が生成される。
【００３７】
次に、画像処理装置１０００における印刷ジョブの実行について図８を用いて説明する。
【００３８】
図８は、画像処理装置１０００における印刷ジョブの実行の流れを示すフローチャートである。なお、本処理は、印刷制御手段としての制御部２０５がＲＯＭ２０７に記憶された制御プログラムを読み出して実行することにより実現される。
【００３９】
まず、制御部２０５は印刷開始指示を受け付ける（ステップＳ９０１）。印刷開始指示は、例えば操作部２０４のハードキー入力部３０２に設けられたスタートキー３０３をユーザーが押下することによって画像処理装置１０００へ指示される。または、ユーザーがＰＣ１０２からネットワーク１０１を介してＰＤＬデータを画像処理装置１０００へ送信することによっても指示される。
【００４０】
次に、制御部２０５は、印刷開始が指示された印刷ジョブの印刷設定を解析し、針を用いずに綴じる綴じ処理設定（針無し綴じ設定）がなされているジョブか否かを判定する（ステップＳ９０２）。針無し綴じ処理設定がなされていないと判定した場合、制御部２０５は印刷ジョブをそのまま実行する（ステップＳ９０３）。一方、針無し綴じ処理設定がなされていると判定した場合、制御部２０５は、画像処理装置に設定されている通知設定がどう設定されているかを判定する（ステップＳ９０４）。ここで通知設定について説明する。
【００４１】
画像処理装置１０００は、機器の設定や各種機能の動作仕様をユーザーが自由に設定できる仕様設定機能を有する。仕様設定機能で設定される内容は、バッテリー（不図示）によりバックアップされているＲＡＭ２０８のスタティックＲＡＭ領域（不図示）に保持されている。そのため、画像処理装置１０００の電源が落とされても、ＲＡＭ２０８に保持されている設定の内容は維持される。
【００４２】
操作部２０４のハードキー入力部３０２に設けられた機器設定ボタン３０４が押下されると、制御部２０５はタッチパネル部３０１に図９（ａ）に示す機器設定一覧画面１００１を表示する。この機器設定一覧画面１００１上で、「針無し綴じ処理時の通知設定」ボタン１００２が押下されると、制御部２０５はタッチパネル部３０１に図９（ｂ）に示す動作設定画面１１０１を表示する。動作設定画面１１０１では、ユーザーは、針無し綴じ処理が指定された印刷ジョブの実行時に、試し印刷の推奨通知を受け取るか否かを選択することができる。
【００４３】
印刷ジョブの試し印刷は、印刷ジョブの印刷設定に指定された部数のうちの１部だけを印刷およびシート処理（後処理）した後、一旦停止し、ユーザーからの継続印刷の指示に応じて残りの全部数を印刷およびシート処理するモードである。
【００４４】
動作設定画面１１０１上で「通知しない」ボタン１１０４が選択されたときには通知を行わない。一方、動作設定画面１１０１上で「通知する」ボタン１１０２が選択されたときにのみ子画面１１０３が表示され、通知の詳細方式をラジオボタンで選択することができる。図示例では、「常に通知する」または「印刷物の枚数に応じて通知する」を選択することができる。
【００４５】
「印刷物の枚数に応じて通知する」とは、図６（ａ）〜図６（ｃ）を参照して説明したシート束の綴じ方法では綴じる枚数が限られていることから、当該方法で綴じることが可能な上限枚数に近い場合にのみ通知を行うことを意味する。このようにすることで、通知の頻度をより必要と考えられるタイミングのみに絞ることが可能となる。
【００４６】
図８に戻り、ステップＳ９０４で通知設定が「通知しない」設定になっていた場合、制御部２０５は、印刷ジョブに基づく全ての部を連続して印刷するように制御する（ステップＳ９０３）。一方、ステップＳ９０４で「常に通知する」設定になっていた場合、制御部２０５は、操作部２０４のタッチパネル部３０１に図１０に示す試し印刷の推奨画面１２０１を表示し（ステップＳ９０７）。そして、ユーザーに試し印刷するかしないかを選択させる（ステップＳ９０８）。本実施形態では、針無し綴じ処理設定がなされている印刷ジョブについては試し印刷するよう制御する。なお、試し印刷を行う旨を通知するのみで、動作モードの選択までは求めない構成とすることも可能である。また、試し印刷の推奨を行うのではなく、試し印刷を実行するように自動的に設定を変更するようにしてもよい。
【００４７】
ステップＳ９０４で通知設定が「印刷物のシート枚数に応じて通知する」設定になっていた場合、制御部２０５は、印刷ジョブに指定された部数のうちの１部の印刷物の印刷枚数を算出する（ステップＳ９０５）。なお、印刷ジョブの実行開始の時点では印刷物の枚数が算出できず、不明な場合もありうる。この場合には、ステップＳ９０５をスルーしてステップＳ９０７へ進む。
【００４８】
次に、制御部２０５は、ステップＳ９０５にて算出された印刷物の枚数が、針無し綴じ処理で綴じることが可能な上限枚数に近いか否かを判定する（ステップＳ９０６）。針無し綴じが可能な上限枚数に近いか否かの判定は次の方法による。すなわち、印刷ジョブの印刷設定から、使用するシートの種類を決定し、そのシートの種類に紐づいた上限枚数を取得する。そして、取得した上限枚数から所定の枚数を減算した枚数を、ステップＳ９０６の判定に用いる閾値とする。例えば、上限枚数が１０枚の場合、そこから２枚を減算した８枚を閾値として用いる。そして、ステップＳ９０５にて算出された印刷物の枚数が、閾値以上で上限枚数以下の場合には、ステップＳ９０７に進むものとする。なお、上限枚数から減算される所定の枚数を２枚としたが、この限りではない。
【００４９】
ステップＳ９０６の比較結果から、ステップＳ９０５にて算出された印刷物の枚数が、針無し綴じが可能な上限枚数に近くないと判定した場合、制御部２０５は、印刷ジョブをそのまま実行する（ステップＳ９０３）。
【００５０】
一方、ステップＳ９０６の比較の結果から、ステップＳ９０５にて算出された印刷物の枚数が、針無し綴じが可能な上限枚数に近いと判定した場合（または印刷物の枚数が算出できずに不明であった場合）はステップＳ９０７へ進む。
【００５１】
ステップＳ９０７では、制御部２０５は、図１０に示す試し印刷の推奨画面１２０１を表示してユーザーに通知する。そして、ユーザーに試し印刷するかしないかを選択させる（ステップＳ９０８）。
【００５２】
ステップＳ９０８において、推奨画面１２０１上の印刷開始ボタン１２０２が押下された場合、制御部２０５は、印刷ジョブをそのまま実行する（ステップＳ９０３）。一方、ステップＳ９０８において、推奨画面１２０１上の試し印刷ボタン１２０３が押下された場合、制御部２０５は、印刷ジョブに対して試し印刷処理を実行する（ステップＳ９０９）。一方、ステップＳ９０８において、推奨画面１２０１上のキャンセルボタン１２０４が押下された場合、制御部２０５は、印刷ジョブの印刷をキャンセルして本処理を終了する。
【００５３】
上記第１の実施形態によれば、印刷ジョブの印刷設定から針無し綴じの設定有無を判定し、針無し綴じの設定ありと判定された場合には、印刷ジョブの試し印刷を行うように制御する。より具体的には、ユーザーに印刷ジョブの試し印刷の実行を推奨する。そして、当該推奨が行われた後にユーザーから試し印刷を指示された場合には、印刷ジョブの印刷設定に指定された部数のうちの１部だけを印刷および後処理する試し印刷を行わせる。これにより、ユーザーに必要に応じて試し印刷を推奨することが可能となり、針無し綴じ処理を指示した印刷物の仕上がりが、ユーザーの意図したものと異なってしまうという状況が発生することを抑制することができる。
【００５４】
［第２の実施形態］
次に、本発明の第２の実施形態について図１１および図１２（ａ）、図１２（ｂ）を参照して説明する。
【００５５】
本第２の実施形態では、ユーザーに選択された印刷ジョブに対してミスマッチチェック機能によりチェックを行い、当該印刷ジョブの印刷設定に針無し綴じが設定されていた場合には、当該チェック結果に警告を追加してユーザーに注意を促すものである。ミスマッチチェック機能とは、画像処理装置１０００に保持された印刷ジョブ（以下、「ホールドジョブ」と称する。）の印刷設定と、画像処理装置１０００の状態とに基づき、当該印刷設定に基づいて印刷処理が正常に実行可能かを事前にチェックする機能である。この機能は、例えば、印刷設定で指定されているサイズや種別の用紙が画像処理装置１０００にセットされているか否かをチェックする。なお、本発明の第２の実施の形態では、図１〜図７に示す構成が上記第１の実施の形態と同じであり、第１の実施の形態と同様の部分については、同一の符号を用いてその説明を省略する。以下に、上記第１の実施の形態と異なる点のみを説明する。
【００５６】
図１１は、本発明の第２の実施形態における画像処理装置１０００におけるミスマッチチェック処理の流れを示すフローチャートである。なお、本処理は、制御部２０５がＲＯＭ２０７に記憶された制御プログラムを読み出して実行することにより実現される。
【００５７】
まず、制御部２０５は、ミスマッチチェックの開始指示を受け付ける（ステップＳ１３０１）。具体的には、制御部２０５は、操作部２０４のタッチパネル部３０１に図１２（ａ）に示すホールド画面１５０１を表示する。ユーザーは、ホールド画面１５０１にリスト表示されているホールドジョブからミスマッチチェックを行う対象ジョブを選択し、ミスマッチチェックボタン１５０２を押下する。なお、ユーザーにより選択されたホールドジョブは、図示の選択中ジョブ１５０３のように表示色が変更され、選択中であることが識別可能になっている。
【００５８】
次に、制御部２０５は、ユーザーにより選択された対象ジョブに対してミスマッチチェック処理を行う（ステップＳ１３０２）。ミスマッチチェック処理とは、印刷設定に基づく印刷ジョブを実行するのに必要なシートが画像処理装置１０００にセットされているか、排紙先が積載フルなどによって塞がっていたりしないか、といった内容をチェックする既存の処理である。ここでのチェック項目は印刷を正常に実行するのに必須な項目である。ミスマッチと判定された項目は、印刷が正常に実行できないことを示すエラーとして扱われる。そして、ミスマッチチェック処理の結果を示すデータは、ミスマッチと判定された項目とそのレベル（エラー、警告）がリスト形式でＲＡＭ２０８に保存される。なお、本実施形態では、針無し綴じ処理の設定に着目して説明を行う。
【００５９】
次に、制御部２０５は、印刷ジョブの印刷設定を解析し、針無し綴じ処理設定がなされているジョブか否かを判定する（ステップＳ１３０３）。針無し綴じ処理設定がなされていると判定した場合にはステップＳ１３０５へ進む。一方、針無し綴じ処理設定がなされていないと判定した場合、制御部２０５は、ステップＳ１３０２で実行されたミスマッチチェック処理によりミスマッチと判定された項目があるか否かを判定する（ステップＳ１３０４）。制御部２０５は、ミスマッチチェック処理の結果を示すデータをＲＡＭ２０８から読み出して、ミスマッチと判定された項目があるか否かを判定する。
【００６０】
ステップＳ１３０４においてミスマッチと判定された項目があると判定された場合、制御部２０５は、操作部２０４のタッチパネル部３０１に図１２（ｂ）に示すホールド画面１５１１を表示する（ステップＳ１３０７）。ホールド画面１５１１には、ミスマッチと判定された項目のレベルに対応するアイコンが表示される。例えば、ミスマッチと判定された項目のレベルが警告のみの場合は、図示の警告通知１５０４のように、エラー通知１５０５とは異なるアイコンが表示される。また、ミスマッチと判定された項目に警告とエラーの２つのレベルが存在する場合には、エラー通知１５０５のアイコンが優先的に表示される。
【００６１】
一方、ステップＳ１３０４においてミスマッチと判定された項目がないと判定された場合、制御部２０５は、上述したアイコン表示を行うことなく、本処理を終了する。つまり、ミスマッチチェックを行った結果が問題ない（印刷が正常に実行できる）と判定された場合、選択された印刷ジョブには何も表示されない。
【００６２】
ステップＳ１３０５では、制御部２０５は、針無し綴じ処理設定に対して確認済のフラグが立っているか否かを判定する。このフラグは、針無し綴じ処理設定がなされた印刷ジョブに対して、既にユーザーがその内容確認を行ったか否かを示すものである。つまり、本フラグが立っている印刷ジョブについては、改めて警告表示が行われないことを意味する。
【００６３】
ステップＳ１３０５において確認済のフラグが立っていると判定した場合には、ステップＳ１３０４へ進む。一方、ステップＳ１３０５において確認済のフラグが立っていないと判定した場合、制御部２０５は、警告すべき要因として、ステップＳ１３０２で実行されたミスマッチチェック処理の結果に追加を行い（ステップＳ１３０６）、ステップＳ１３０４へ進む。なお、ステップＳ１３０６においてミスマッチチェック処理の結果に警告として追加する前に、図９（ｂ）に示す動作設定画面１１０１における設定を参照し、ミスマッチチェック処理の結果に追加するか否かの判定に切り替える構成としてもよい。この場合、制御部２０５は、動作設定画面１１０１で通知しないボタン１１０４が選択されている場合、ミスマッチチェック処理の結果に追加せず、「通知する」ボタン１１０２が選択されている場合だけ、ミスマッチチェック処理の結果に追加するよう制御を行う。
【００６４】
更に、「通知する」ボタン１１０２が選択されている場合、制御部２０５は、次の制御を行う。すなわち、子画面１１０３における選択内容に応じて、常にミスマッチチェック処理の結果に追加するよう制御するか、印刷物の枚数に応じてミスマッチチェック処理の結果に追加する／しないを切り替えるよう制御するかを切り替える。なお、処理の内容に関しては、上記第１の実施形態にて説明した処理と同様であるため、それらの説明を割愛する。
【００６５】
上記第２の実施形態によれば、印刷ジョブに対する印刷処理および後処理が正常に実行できるか否かを判定するミスマッチチェック処理を実行する。そして、印刷ジョブの印刷設定から針無し綴じの設定有無を判定し、針無し綴じの設定ありと判定された場合には、ミスマッチチェック処理の結果に、針無し綴じの設定ありとする警告を追加してユーザーに通知する。これにより、印刷物がユーザーの意図した結果と異なってしまうという状況が発生する可能性のある設定項目が含まれている旨をユーザーに通知することができる。そして、出力結果が不本意な結果となる可能性を低減することができる。
【００６６】
［第３の実施形態］
次に、本発明の第３の実施形態について図１３および図１４（ａ）、図１４（ｂ）を参照して説明する。
【００６７】
本第３の実施形態では、図１１のステップＳ１３０２で実行されたミスマッチチェック処理の結果に格納された警告要因を解消する処理について述べる。なお、本発明の第３の実施の形態では、図１〜図７に示す構成が上記第１の実施の形態と同じであり、第１の実施の形態と同様の部分については、同一の符号を用いてその説明を省略する。以下に、上記第１の実施の形態と異なる点のみを説明する。
【００６８】
図１３は、本発明の第３の実施形態におけるミスマッチ解消処理の流れを示すフローチャートである。なお、本処理は、制御部２０５がＲＯＭ２０７に記憶された制御プログラムを読み出して実行することにより実現される。
【００６９】
まず、制御部２０５は、制御部２０５は、要因一覧の表示指示を受け付ける（ステップＳ１４０１）。具体的には、制御部２０５は、操作部２０４のタッチパネル部３０１に図１２（ｂ）に示すホールド画面１５１１を表示する。そして、制御部２０５は、ホールド画面１５１１にリスト表示しているホールドジョブからミスマッチ要因の解消を行いたい対象ジョブの選択を受付、詳細変更ボタン１５０６が押下されたか否かを判断する。
【００７０】
ステップＳ１４０１にて要因一覧の表示指示を受け付けると、制御部２０５は、図１４（ａ）に示す要因一覧画面１６０１を操作部２０４のタッチパネル部３０１に表示する（ステップＳ１４０２）。要因一覧画面１６０１には、対象ジョブに関するミスマッチ要因となる設定とそのレベルが表示される。なお、図示例では、ミスマッチ要因となる設定として「針無し綴じ」に対する警告が１つだけリスト表示されているが、他にもミスマッチと判定された要因があれば、リスト表示される。
【００７１】
次に、制御部２０５は、解消したいミスマッチ要因をユーザーに選択させ、どのミスマッチ要因が選択されたか判定する（ステップＳ１４０３）。ここで、要因一覧画面１６０１上でユーザーによってキャンセルボタン１６０３が押下された場合、制御部２０５は本処理を終了する。
【００７２】
ステップＳ１４０３にて、要因一覧画面１６０１上で解消したいミスマッチ要因が選択され、解消ボタン１６０２が押下される。すると、制御部２０５は、選択されたミスマッチ要因が、針無し綴じ処理設定か否かを判定する（ステップＳ１４０４）。ステップＳ１４０４の判定結果から、選択されたミスマッチ要因が針無し綴じ処理設定ではないと判定した場合、制御部２０５は、選択されたミスマッチ要因のエラーもしくは警告に対する解消処理を行い（ステップＳ１４０５）、本処理を終了する。解消処理としては、例えば、必要なシートの給紙や、排紙トレイに積載されたシートの除去を促す等、要因によって様々な内容が考えられるが、詳細な説明に関しては割愛する。
【００７３】
一方、ステップＳ１４０４にて、解消指示を受けた要因が針無し綴じ処理設定であると判定した場合、制御部２０５は、図１４（ｂ）に示す試し印刷推奨画面１６１１を、操作部２０４のタッチパネル部３０１に表示する（ステップＳ１４０６）。そして、制御部２０５は、試し印刷の要否をユーザーに判断させる（ステップＳ１４０７）。
【００７４】
ステップＳ１４０７において、試し印刷推奨画面１６１１上のそのままＯＫボタン１６０４が押下された場合、制御部２０５はそのまま（試し印刷無しで）要因を解消してもよいと判断する。そして、制御部２０５は、ミスマッチチェック処理の結果における警告要因、つまり針無し綴じ処理設定に確認済というフラグを立てて（ステップＳ１４０８）、本処理を終了する。このフラグは、印刷ジョブの印刷設定と同じく、制御部２０５が参照可能な形式でＲＡＭ２０８に保存される。
【００７５】
一方、ステップＳ１４０７において試し印刷ボタン１６０５が押下された場合、制御部２０５は、印刷ジョブを１部印刷した後、一旦停止する。そして、図１４（ｃ）に示す試し印刷の結果入力を求める結果入力画面１６２１を、操作部２０４のタッチパネル部３０１に表示し（ステップＳ１４０９）、試し印刷の結果入力をユーザーに求める（ステップＳ１４１０）。なお、ステップＳ１４０７にてキャンセルボタン１６０６が押下された場合、制御部２０５は本処理を終了する。
【００７６】
ステップＳ１４１０においてＯＫボタン１６０７が押下された場合にはステップＳ１４０８へ進む。一方、ステップＳ１４１０においてＮＧボタン１６０８が押下された場合はステップＳ１４１１に進む。
【００７７】
ステップＳ１４１１では、制御部２０５は、ミスマッチチェック処理の結果における警告要因、つまり針無し綴じ処理設定のレベルをエラーに変更し、ミスマッチチェック処理の結果を修正する。
【００７８】
上記第３の実施形態によれば、印刷ジョブのミスマッチチェック処理により正常に実行できないと判定された要因に対して解消指示を受け付け、当該解消指示された要因が針無し綴じの設定であった場合には、ユーザーに印刷ジョブの試し印刷の推奨を通知する。これにより、印刷した結果がユーザーの意図した結果と異なってしまうという状況が発生する可能性を抑えたまま、ミスマッチ要因の解消を行うことができる。なお、試し印刷を推奨するのではなく、試し印刷を実行するように自動的に設定を変更するようにしても良い。
【００７９】
また、本発明は、以下の処理を実行することによっても実現される。即ち、上述した実施形態の機能を実現するソフトウェア（プログラム）を、ネットワーク又は各種記憶媒体を介してシステム或いは装置に供給し、そのシステム或いは装置のコンピュータ（またはＣＰＵやＭＰＵ等）がプログラムを読み出して実行する処理である。
【符号の説明】
【００８０】
１００  画像形成装置
１０１  ネットワーク
２００  シート処理装置
２０４  操作部
２０５  制御部
２０８  ＲＡＭ
３０１  タッチパネル部
４０１  綴じ処理部
４０３  針無し綴じ部
１０００  画像処理装置
【図１】
2016016551.tif 000003
【図２】
2016016551.tif 000004
【図３】
2016016551.tif 000005
【図４】
2016016551.tif 000006
【図５】
2016016551.tif 000007
【図６】
2016016551.tif 000008
【図７】
2016016551.tif 000009
【図８】
2016016551.tif 000010
【図９】
2016016551.tif 000011
【図１０】
2016016551.tif 000012
【図１１】
2016016551.tif 000013
【図１２】
2016016551.tif 000014
【図１３】
2016016551.tif 000015
【図１４】
2016016551.tif 000016